(57)【要約】      （修正有）【課題】ゴルフボールが転がって降りてきた傾斜面又は溝の高さとティーアップ装置の案内誘導部の高さとが異なる場合にも、ゴルフボールを案内誘導部に供給できるゴルフボール供給装置を提供する。【解決手段】ティーアップ装置の案内誘導部にゴルフボールを供給するゴルフボール供給装置１００を提供する。このゴルフボール供給装置は、ゴルフボールがティーアップ装置の案内誘導部に流入するように、流入口１１１が形成されたメインフレーム１１０と、回転軸１２２がメインフレームを貫通するように、メインフレームに設置された駆動源１２０と、駆動源１２０によって回転自在に設けられ、ゴルフボールを載置した後、流入口１１１に対応する位置に回転すると、ゴルフボールが流入口１１１に供給され得るように傾斜して形成された回転部材と、を備える。【選択図】図３
0003140628.tif 000002
【実用新案登録請求の範囲】
【請求項１】
ティーアップ装置の案内誘導部にゴルフボールを供給するゴルフボール供給装置において、
前記ゴルフボールが前記ティーアップ装置の案内誘導部に流入するように、流入口が形成されたメインフレームと、
回転軸が前記メインフレームを貫通するように、前記メインフレームに設置された駆動源と、
前記駆動源によって回転自在に設けられ、前記ゴルフボールを載置した後、前記流入口に対応する位置に回転すると、前記ゴルフボールが前記流入口に供給され得るように傾斜して形成された回転部材と、
を備えることを特徴とする、ゴルフボール供給装置。
【請求項２】
前記メインフレームの前方に位置し、前記駆動源によって回転するように前記回転軸に設けられ、前記回転軸の外周面に沿って離隔し、前記回転軸に対して垂直な方向に設けられている複数のサポートバーを更に備えることを特徴とする、請求項１に記載のゴルフボール供給装置。
【請求項３】
前記回転軸により貫通され、前記メインフレームと前記複数のサポートバーとの間に介在して前記メインフレームに接続され、前記ゴルフボールが前記回転部材に１つずつ載置され得るように、前記ゴルフボールの直径より広い直径を持つ投入口が形成された補助フレームを更に備えることを特徴とする、請求項１又は２に記載のゴルフボール供給装置。
【請求項４】
前記回転部材が前記ゴルフボールを載置できる位置に回転すると、前記複数のサポートバーは、前記ゴルフボールが前記投入口に投入されるように位置されることを特徴とする、請求項３に記載のゴルフボール供給装置。
【請求項５】
前記回転部材は、
前記駆動源の前記回転軸に設けられ、端部が折り曲げられた翼部と、
前記ゴルフボールを載置できるように、前記ゴルフボールの直径より広い間隔で前記翼部の端部から離隔して設けられた補助翼部と、
を備え、
前記補助翼部は、投入される方向へ前記ゴルフボールが移動できるように傾斜して設けられたことを特徴とする、請求項３に記載のゴルフボール供給装置。
【請求項６】
前記回転部材に載置され回動される前記ゴルフボールを支持するために、前記回転部材の回転半径から一定間隔だけ離隔して設けられたガイド部材を更に備えることを特徴とする、請求項３に記載のゴルフボール供給装置。
【請求項７】
前記回転部材の回転を制御するために、前記流入口の近くにセンサーが設けられたことを特徴とする、請求項３に記載のゴルフボール供給装置。
【考案の詳細な説明】
【技術分野】
【０００１】
本考案は、ゴルフボール供給装置に関し、より詳細には、ゴルフ練習場で傾斜面又は溝に沿って転がって降りてきたゴルフボールを、ティーアップ装置に供給するゴルフボール供給装置に関する。
【背景技術】
【０００２】
一般的に、ゴルフ練習場では、傾斜面又は溝に沿って転がって（回転して）降りてきたゴルフボールがティーアップ装置に供給されたり、ゴルフボール格納装置から移動したゴルフボールが、ホースなどを介してティーアップ装置に供給される。ティーアップ装置に移動したゴルフボールは、ゴルフティーに１つずつ載置され上昇された後、ゴルファーによって打撃される。該当ティーアップ装置に関しては、下記特許文献１〜６等にその構造が開示されている。
【０００３】
ゴルフボールが、ゴルフボール格納装置からホースなどを介してティーアップ装置に移動する場合は、ホースなどの高さを調節することで、ティーアップ装置の案内誘導部にゴルフボールを直接供給することができる。
【０００４】
【特許文献１】大韓民国登録実用新案第２０-０１６５０６８号
【特許文献２】大韓民国登録実用新案第２０-０２９６１８７号
【特許文献３】大韓民国登録実用新案第２０-０４０４８９２号
【特許文献４】大韓民国登録実用新案第２０-０４１８２５１号
【特許文献５】大韓民国登録実用新案第２０-０２７８０７７号
【特許文献６】大韓民国登録実用新案第２０-０４３１９４０号
【考案の開示】
【考案が解決しようとする課題】
【０００５】
しかしながら、ゴルフボールが、傾斜面又は溝に沿って移動した後、ティーアップ装置に供給される場合は、該当傾斜面又は溝の高さとティーアップ装置の案内誘導部の高さとが異なると、ゴルフボールを案内誘導部に移動させるための別の装置が必要である。
【０００６】
そこで、本考案は、上記問題に鑑みてなされたものであり、本考案の目的とするところは、ゴルフボールが転がって降りてきた傾斜面又は溝の高さとティーアップ装置の案内誘導部の高さとが異なる場合にも、ゴルフボールを案内誘導部に供給可能な、新規かつ改良されたゴルフボール供給装置を提供することにある。
【課題を解決するための手段】
【０００７】
上記課題を解決するために、本発明のある観点によれば、ティーアップ装置の案内誘導部にゴルフボールを供給するゴルフボール供給装置において、ゴルフボールがティーアップ装置の案内誘導部に流入するように、流入口が形成されたメインフレームと、回転軸がメインフレームを貫通するように、メインフレームに設置された駆動源と、駆動源によって回転自在に設けられ、ゴルフボールを載置した後、流入口に対応する位置に回転すると、ゴルフボールが流入口に供給され得るように傾斜して形成された回転部材と、を備えることを特徴とする、ゴルフボール供給装置が提供される。
【０００８】
また、メインフレームの前方に位置し、駆動源によって回転するように回転軸に設けられ、回転軸の外周面に沿って離隔し、回転軸に対して垂直な方向に設けられている複数のサポートバーを更に備えてもよい。
【０００９】
また、回転軸により貫通され、メインフレームと複数のサポートバーとの間に介在してメインフレームに接続され、ゴルフボールが回転部材に１つずつ載置され得るように、ゴルフボールの直径より広い直径を持つ投入口が形成された補助フレームを更に備えてもよい。
【００１０】
また、回転部材がゴルフボールを載置できる位置に回転すると、複数のサポートバーは、ゴルフボールが投入口に投入されるように位置されてもよい。
【００１１】
また、回転部材は、駆動源の回転軸に設けられ、端部が折り曲げられた翼部と、ゴルフボールを載置できるように、ゴルフボールの直径より広い間隔で翼部の端部から離隔して設けられた補助翼部と、を備え、補助翼部は、投入される方向へゴルフボールが移動できるように傾斜して設けられてもよい。
【００１２】
また、回転部材に載置され回動されるゴルフボールを支持するために、回転部材の回転半径から一定間隔だけ離隔して設けられたガイド部材を更に備えてもよい。
【００１３】
また、回転部材の回転を制御するために、流入口の近くにセンサーが設けられてもよい。
【考案の効果】
【００１４】
以上説明したように本考案によれば、ゴルフボールが転がって降りてきた傾斜面又は溝の高さとティーアップ装置の案内誘導部の高さとが異なる場合にも、ゴルフボールを案内誘導部に移動させることができる。
【考案を実施するための最良の形態】
【００１５】
以下に添付図面を参照しながら、本考案の好適な実施の形態について詳細に説明する。なお、本明細書及び図面において、実質的に同一の機能構成を有する構成要素については、同一の符号を付することにより重複説明を省略する。これに先立って、本明細書及び請求範囲に使われた用語や単語は、通常的か辞書的な意味に限定して解釈されるべきではなく、考案者は、自分自身の考案を最も最良の方法により説明するために、用語の概念を適切に定義できるという原則に即して、本考案の技術的思想に符合する意味と概念で解釈されるべきである。したがって、本明細書に記載された実施形態と図面に図示された構成は、本考案の一実施形態に過ぎないものであり、本考案の技術的思想の全てを代弁するものではないので、本出願時点において、これらを代替できる多様な均等物と変形例があり得ることは理解されるできである。
【００１６】
図１は、本考案の一実施形態に係るゴルフボール供給装置が設けられたティーアップ装置を示す斜視図であり、図２は、本考案の一実施形態に係るゴルフボール供給装置を示す斜視図であり、図３は、図２のゴルフボール供給装置の内部構造を示す斜視図であり、図４は、図２のゴルフボール供給装置を示す平面図であり、図５は、図３のゴルフボール供給装置を示す正面図である。
【００１７】
図１〜図５に示すように、ゴルフボール供給装置１００は、ゴルフボール１０がティーアップ装置２００の案内誘導部２１０に流入（導入）されるように、流入口１１１が形成されたメインフレーム１１０と、メインフレーム１１０に設けられた駆動源１２０と、駆動源１２０によって回転する回転部材１３０と、を備える。
【００１８】
ゴルフボール供給装置１００は、ゴルフ練習場で、傾斜面(図示せず)又は溝(図示せず)に沿って移動したゴルフボール１０を、ティーアップ装置２００の案内誘導部２１０に供給する。ここで、ティーアップ装置２００は、案内誘導部２１０を介してゴルフボール１０を導き入れ、導かれたゴルフボール１０をゴルフティー２２０に移動させて載置した後、そのゴルフティー２２０を上昇させる装置であって、ゴルフ練習場などで広く使われるものである。したがって、ティーアップ装置２００に関しては、詳細な説明を省略することにする。また、「案内誘導部２１０」とは、ゴルフボール１０をゴルフティー２２０に載置するためにゴルフボール１０を案内する部分を意味する。
【００１９】
メインフレーム１１０には、ティーアップ装置２００の案内誘導部２１０に対応する位置に流入口１１１が形成される。この場合、メインフレーム１１０に結合され、その内部に収納空間が形成されるように、補助フレーム１１５が設けられる。メインフレーム１１０と補助フレーム１１５とが結合されて形成された収納空間には、回転部材１３０が配置され、補助フレーム１１５には、傾斜面又は溝に沿って移動したゴルフボール１０が、収納空間の回転部材１３０に１つずつ載置されるように、ゴルフボール１０の直径より大きい直径を持つ投入口１１６が形成される。
【００２０】
このようなメインフレーム１１０と補助フレーム１１５とは、投入口１１６に投入されたゴルフボール１０が回転部材１３０に載置され、そのゴルフボール１０が移動時に、前方側と後方側などに離脱しないように、即ち、外部に離脱しないように支持する役割を果たす。
【００２１】
一方、メインフレーム１１０と補助フレーム１１５とを、本明細書においては、四角形状に示して説明するが、メインフレーム１１０と補助フレーム１１５との形状は、これに限定されるものではない。つまり、メインフレーム１１０と補助フレーム１１５との形状は、例えば、駆動源１２０が設けられ、回転部材１３０によってゴルフボール１０がティーアップ装置２００に供給され得る如何なる形状でも採用可能である。
【００２２】
駆動源１２０は、メインフレーム１１０に設けられ、駆動源１２０の回転力を伝達する回転軸１２２が、メインフレーム１１０を貫通するように設けられる。また、回転軸１２２は、その一部が露出するように、補助フレーム１１５を貫通して設けられる。駆動源１２０は、正、逆回転が可能なモーターであって、回転部材１３０の設置方向に従って、正、逆回転することができる。本明細書では、駆動源１２０が半時計回りに回転することを、「正回転」であるとする。例えば、図６に示されるように、ゴルフボール１０を載置した回転部材１３０が、駆動源１２０によって１８０度程度正回転をすると、ゴルフボール１０を載置した回転部材１３０が、案内誘導部２１０に対応する位置に回転して、ゴルフボール１０が案内誘導部２１０に流入される。
【００２３】
望ましくは、駆動源１２０は、流入口１１１の近くに設けられたセンサー（図示せず）によって制御される。センサーは、回転部材１３０が回転する際、すなわち、流入口１１１にゴルフボール１０を供給する際に、センサーにより流入口１１１の近傍において回転部材１３０が感知されると、駆動源１２０の回転を、定められた時間の間停止させた後、再び正回転を始める。このように一定期間駆動源１２０の回転を停止させることにより、ゴルフボール１０をスムーズに流出口１１１からティーアップ装置２００の案内誘導部２１０に供給することができる。
【００２４】
一方、駆動源１２０は、ティーアップ装置２００にゴルフボール１０が供給され、満杯になると、ティーアップ装置２００に設けられたセンサー（図示せず）によって制御されることもできる。つまり、例えば、ティーアップ装置２００の案内誘導部２１０における流入口１１１近傍などにセンサを設け、このセンサがティーアップ装置２００におけるゴルフボール１０の満載を感知すると、駆動源１２０を一時的に停止させることも可能である。このように一定期間駆動源１２０の回転を停止させることにより、ティーアップ装置２００にゴルフボール１０が満載の際にゴルフボール供給装置１００が更にゴルフボールを供給しようとせずに済む。
【００２５】
このような駆動源１２０は、供給装置１００のメインフレーム１１０に設けられ、個別的に用いられることもできるが、図１に示すように、ティーアップ装置２００の内部に配置され用いられてもよい。
【００２６】
回転部材１３０は、ゴルフボール１０を載置できるように形成される。より具体的には、回転部材１３０は、駆動源１２０の回転軸１２２に設けられた翼部１３２と、翼部１３２の端部から離隔して設けられた補助翼部１３４と、を備える。ここで、翼部１３２の端部は、折り曲げられ、補助翼部１３４は、ゴルフボール１０を載置できるように、ゴルフボール１０の直径より広い間隔で翼部１３２の端部から離隔して設けられる。すなわち、例えば図５などに示すように、回転部材１３０は、ゴルフボール１０を載置するように、「＝」字状の形状を有するように形成される。
【００２７】
一方、回転部材１３０は、二つの翼部１３２が平行に回転軸１２２に設けられているように示したが、これに限定されることなく、１つ又は３以上の翼部が設けられることもできる。
【００２８】
更に、補助翼部１３４は、ゴルフボール１０が投入される方向へ移動できるように傾斜して設けられる。したがって、回転部材１３０が回転し、流入口１１１側に移動すると、傾斜した補助翼部１３４によってゴルフボール１０が流入口１１１に移動する。この場合、傾斜した補助翼部１３４によってゴルフボール１０が投入された方向へ移動して外部に離脱することは、上述したように、フレーム１１０が支持することによって、防止される。
【００２９】
また、回転部材１３０によって移動するゴルフボール１０が外部に離脱することを防止するために、メインフレーム１１０にはガイド部材１４０が設けられる。
【００３０】
ガイド部材１４０は、メインフレーム１１０と補助フレーム１１５との間に位置され、メインフレーム１１０に設けられる。より具体的には、ガイド部材１４０は、回転部材１３０に載置され移動するゴルフボール１０を支持するために、回転部材１３０の回転半径から一定間隔だけ離隔して設けられる。より具体的には、ガイド部材１４０は、図５等に示すように回転部材１３０の回転軸１２２を中心に略半円形状に形成される。このようなガイド部材１４０は、ゴルフボール１０を支持する面が、回転部材１３０の回転半径と同じ半径を持つ形状に形成されることが望ましい。
【００３１】
望ましくは、ゴルフボール供給装置１００は、ゴルフボール１０を補助フレーム１１５の投入口１１６に目詰まりなく一定に投入させるために、複数のサポートバー１５０を更に備える。
【００３２】
複数のサポートバー１５０は、投入口１１６が形成された補助フレーム１１５の前方に配置され、駆動源１２０によって回転するように回転軸１２２に接続される。より具体的には、複数のサポートバー１５０は、回転軸１２２の外周面に沿って所定の間隔で離隔され、回転軸１２２に対して垂直な方向に設けられている。このようなサポートバー１５０は、回転部材１３０がゴルフボール１０を載置するように位置されると、ゴルフボール１０が投入口１１６に投入されるように位置される。したがって、ゴルフボール１０が、サポートバー１５０によって妨げられることなく投入口１１６に投入されると、回転部材１３０により流入口１１１側に移動され、回転部材１３０が流入口１１１側に移動する際に、サポートバー１５０は、投入口１１６の前方に位置されることで、ゴルフボール１０が投入口１１６に投入されることを防止するようになる。すなわち、互いに離隔された複数のサポートバー１５０間に、回転部材１３０の翼部１３２が位置され、回転部材１３０とサポートバー１５０とは、駆動源１２０によって共に回転する。
【００３３】
一方、各図には、複数のサポートバー１５０は、回転軸１２２の長さ方向に沿って互いに離隔して設けられている場合を示したが、これに限定されることなく、回転軸１２２の外周面に任意の一つのラインに沿って設置できることは自明である。そして、このようなサポートバー１５０は、補助フレーム１１５が設けられ、補助フレーム１１５の投入口１１６にゴルフボール１０を一定に投入させると説明したが、これに限定されることなく、補助フレーム１１５が設置されなくても、回転部材１３０に載置されるゴルフボール１０が一つだけ載置されるようにする役割を果たす。
【００３４】
次に、本考案の一実施形態に係るゴルフボール供給装置の動作過程を説明する。
【００３５】
ゴルフ練習場の傾斜面又は溝に沿って流れたゴルフボール１０は、ゴルフボール供給装置１００の投入口１１６に投入される。ゴルフボール１０が投入口１１６に投入されると、駆動源１２０によって正回転する回転部材１３０にゴルフボール１０が載置される(図６参照)。
【００３６】
次に、回転部材１３０が正回転して流入口１１１に位置されると、流入口１１１の近くに設けられたセンサー(図示せず)によって定められた時間の間、駆動源１２０が停止する。すると、回転部材１３０に載置されたゴルフボール１０が、傾斜した補助翼部１３４によって、流入口１１１を介してティーアップ装置２００の案内誘導部２１０に移動する。この場合、回転部材１３０に載置されたゴルフボール１０は、メインフレーム１１０と補助フレーム１１５とメインフレーム１１０に設けられたガイド部材１４０とによって、外部に離脱することが防止される。
【００３７】
一方、センサーが回転部材１３０を感知して駆動源１２０を制御することができるが、センサーが設置されなくても、駆動源１２０によって回転部材１３０がゆっくり回転すると、ゴルフボール１０が流入口１１２に流入され得ることは自明である。しかも、一定区間を指定し、指定された区間毎に駆動源１２０の速度を制御することもできる。
【００３８】
回転部材１３０が回転すると共に、サポートバー１５０が回転する。サポートバー１５０と回転部材１３０の翼部１３２とは、図５に示されるように、互いにオフセットされ、同じ位置に設けられないように構成されることで、サポートバー１５０を経て、投入口１１６にゴルフボール１０が投入されると、回転部材１３０の翼部１３２及び補助翼部１３４によってゴルフボール１０が載置され、ゴルフボール１０が載置された回転部材１３０が回転する際に、例えば、９０度程度回転すると、サポートバー１５０が投入口１１６の前方へ移動して、ゴルフボール１０が投入されることを防止する。このようなサポートバー１５０は、投入口１１６に一定にゴルフボール１０が投入されるようにすることは勿論のこと、投入口１１６にゴルフボール１０が掛かって詰まった場合、ゴルフボール１０を除去する役割を果たす。
【００３９】
最後に、回転部材１３０を介してティーアップ装置２００の案内誘導部２１０にゴルフボール１０が満杯になるように供給されると、ティーアップ装置２００に設けられたセンサー(図示せず)によって駆動源１２０が停止し、ゴルフボール１０が使用されると、再び駆動源１２０が作動され、ゴルフボール１０を供給する。
【００４０】
ティーアップ装置２００は、ゴルフ練習場でゴルフボール１０を自動に供給するために広く使われるものである。ティーアップ装置２００の構造は、上記特許文献１〜６等にその構造が開示されている。したがって、本考案であるゴルフボール供給装置１００は、図１に示されたティーアップ装置だけでなく、上記の公報に開示されたティーアップ装置などにも使用できる。
【００４１】
以上説明したように本考案の一実施形態に係るゴルフボール供給装置１００によれば、ゴルフボール１０が転がって降りてきた傾斜面又は溝の高さとティーアップ装置２００の案内誘導部２１０の高さとが異なる場合にも、ゴルフボール１０を案内誘導部２１０に移動させることができる。更にこれにより、傾斜路の高さを下げることができ、高い傾斜路による息苦しさを減らすことができ、ゴルフボールの収集を容易にすることができる。
【００４２】
以上、添付図面を参照しながら本考案の好適な実施形態について詳細に説明したが、本考案はかかる例に限定されないことは言うまでもない。本考案の属する技術の分野における通常の知識を有する者であれば、実用新案登録請求の範囲に記載された技術的思想の範疇内において、各種の変更例または修正例に想到し得ることは明らかであり、それらについても当然に本考案の技術的範囲に属するものと了解される。
【図面の簡単な説明】
【００４３】
【図１】本考案の一実施形態に係るゴルフボール供給装置が設けられたティーアップ装置を示す斜視図である。
【図２】本考案の一実施形態に係るゴルフボール供給装置を示す斜視図である。
【図３】図２のゴルフボール供給装置の内部構造を示す斜視図である。
【図４】図２のゴルフボール供給装置を示す平面図である。
【図５】図３のゴルフボール供給装置を示す正面図である。
【図６】図２のゴルフボール供給装置の動作を説明するための斜視図である。
【符号の説明】
【００４４】
１０    ゴルフボール
１００  供給装置
１１０  メインフレーム
１１５  補助フレーム
１２０  駆動源
１３０  回転部材
１４０  ガイド部材
１５０  サポートバー
２００  ティーアップ装置
２１０  案内誘導部
２２０  ゴルフティー
【図１】
0003140628.tif 000003
【図２】
0003140628.tif 000004
【図３】
0003140628.tif 000005
【図４】
0003140628.tif 000006
【図５】
0003140628.tif 000007
【図６】
0003140628.tif 000008